(57)【要約】本発明は身体エクササイズのため、特にスポーツセンター、フィットネスセンターといった屋内（インドア）のための、小輪つき固定式自転車に関する。要するに、本発明の目的は、固定式バイクの新たなコンセプトの特徴であり、２つの構造部位の間に位置する小輪を有する新たな設計上の特徴をもつ固定式バイクであり、２つの構造部材の間にそれらの相対的角変位をもたらすヒンジを有し、バランスと自由度のコンビネーションを与え、人体の骨および神経構造に影響する全ての衝撃を除去するために適用される力に対して敏感であり、実践者に対して心地よさが提供されることが意図される。
2011522637.tif 000002
【特許請求の範囲】
【請求項１】
下肢にてベアリングブッシングを支持するよう特別に設計されたフレームワークにより特徴付けられる小輪つき固定式自転車。
【請求項２】
フロント及びリアの２つのベースにより特徴付けられる請求項１記載の小輪つき固定式自転車。
【請求項３】
ベアリングブッシングがベースをフレームワークに結合して該固定式バイクが自由にスピンできるようになっていることを特徴とする請求項１または２記載の小輪つき固定式自転車。
【請求項４】
ベースにサポーターが備えられ、バイクの地面に対する支持を与えていることを特徴とする請求項２記載の小輪つき固定式自転車。
【請求項５】
フロント及びリアベースに固定される軸によって特徴付けられる請求項2記載の小輪つき固定式自転車。
【請求項６】
フレームワークに導入され弾性ピンを介して固定され真空でのスピンを防いでいることを特徴とする、請求項1記載の小輪つき固定式自転車。
【請求項７】
該固定式自転車の角運動に対して支持、バランスおよび展開を与えるトーションバーによって特徴付けられる請求項１、２、５または６記載の小輪つき固定式自転車。
【請求項８】
ベアリングブッシングを保持してベースがその位置から離脱するのを防ぐスクリューによって特徴付けられる請求項1、２または３記載の小輪つき固定式自転車。
【請求項９】
ベアリングブッシングの配置を制限する弾性リングによって特徴付けられる請求項２、３または５記載の小輪つき固定式自転車。
【発明の詳細な説明】
【技術分野】
【０００１】
本発明は身体エクササイズのため、特にスポーツセンター、フィットネスセンターといった屋内（インドア）のための、小輪つき固定式自転車に関し、本報における技術分野での関連するデバイスによって提示される解決策の考え方と対比するとき、本装置は非常に独特かつ特異な技術的特徴を備える。
【０００２】
要するに、本発明で希求されるものは、２つの構造部位の間に位置する小輪を有する新たな設計上の特徴をもつ固定式バイクであり、この小輪により２つの構造部位の角変位がバランスと自由度のコンビネーションを与えることができるようになり、ユーザの物理的衝撃を全て吸収することができる優れた心地よさが提供される。
【背景技術】
【０００３】
今日、屋内環境での身体エクササイズに用いるための多くの自転車が存在する。本発明の対象が向けられる様式として、周知の「スピニング」、「インドアサイクル」、「ＲＰＭ」等がある。そして、この種のエクササイズ自転車はステアリングホイールとよばれる慣性ホールをもつ特別な形態を備え、ユーザの創造性にしたがい、適切なトレーニングのレベルに応じてペダルの負荷を調節できるようになっている。
【０００４】
Augspurger（１９９１年、米国特許第5050865号）によれば、自転車はエアロビックエクササイズの最も有用な形態をもち、利用者の心拍数の上昇を維持して、ランニングといった他の形態のエクササイズにつきものの物理的な衝撃が無いように構成されている。あらゆる年齢の人々が行うことができる活動であることから、エクササイズのためのサイクリングは人気がある。しかし、時間の制限、あるいは、インドア環境の外部、道路、街路での乗車ができなくなる天候条件という制限がある。この状況において、該著者は自身の発明として、従来の自転車を支えるように構成された固定デバイスを提供し、その組み合わせは固定式エクササイズマシンとして動作させることができるものである。
【０００５】
Harabayashi（１９９１年、米国特許第5035418号）によれば、従来のアスレチック設備は、固定ポジションにおいてはユーザの足に力を形成するよう構成されているが、漕いでる間に両側のためになるものではなかった。しかし、実際のサイクリングでは平坦なトラックのみならず、上り下り道もある。そこで該著者は自身の発明の対象物として、漕ぐ間にユーザのシートを任意の角度、任意の方向に傾けることができ、足を強化することができるタイプのアスレチック装置を提示している。
【０００６】
Chang（２０００年、米国特許第6126577号）によれば、インドア環境で人々がエクササイズをすることができる身体デバイスは数多く存在した。例えば、固定式バイクでは、最もよいマシンは心臓血管の状態のプログラムのためのものである。しかし、従来のモデルは固定ポジションに強固に設置されて、角度的な変動をシミュレートすることができず、短時間でユーザは嫌になってしまう。鋭意検討に基づき該著者は左右にバランスをとることができる固定式自転車の改良されたエクササイズを提供することを自身の発明の主目的であると記載している。
【０００７】
その後、Lim（２００１年、米国特許第6322480号）によれば、閉鎖空間でのバイクは多くの時間をかけないエクササイズのための最も人気のあるツールになり、これらのバイクはシャーシが取り付けられたベースを有し、該ベースは漕ぐ動作の間に動いたり揺れたりしないようにシャーシに固定される。それで、バイクの類に乗ろうとするときには、屋外での自転車の振動による作用を感じることができずに、この種の閉鎖空間でのバイクには容易に疲労を感じてしまう。そこで、該著者は閉鎖空間での改良された自転車として、固定されず、バイクのような開放感を与えるものを開示し、それにより筋肉の苦痛を感じなくするようにしている。
【０００８】
その後、Ziadは、２００５年、国際特許公開第2005/046806号において、固定されず、不安定さをコントロールして移動用自転車を漕ぐ感覚をシミュレートするシステムを有するインドア用の新たな設計のエクササイズ自転車を開示している。
【０００９】
近時、Peterson（２００８年、米国特許第7326151号）は、従来の自転車に取り付ける、市場に提供されるほとんどのトレーニングデバイスは、ペダルとクランクの動きしか提供していないと述べている。このトレーニングでは丘を登ることがシミュレートできず、屋外使用のリアルな環境においてバイクを動かすサイドバランスを使わないから問題である。リアルな環境での使用をシミュレートする、自転車へ取り付けるデバイスを製造したことを開示した。
【先行技術文献】
【特許文献】
【００１０】
【特許文献１】米国特許第5050865号公報
【特許文献２】米国特許第5035418号公報
【特許文献３】米国特許第6126577号公報
【特許文献４】米国特許第6322480号公報
【特許文献５】国際特許出願公開第2005/046806号公報
【特許文献６】米国特許第7326151号公報
【発明の概要】
【発明が解決しようとする課題】
【００１１】
これまで展開された技術の記述を考慮すると、列挙した発明の実施に際して、いくつかの難点が付随する可能性がある。Chang（２０００年、米国特許第6126577号）は油圧シリンダーを用いて角度を生成することにより、エクササイズバイクは素早くその垂直位置に戻ることができず、用時において不安定であり、それゆえ、実使用にとって不向きであると記載している（カラム1、２９〜３２行）。よって、この種のメカニズムを用いる解決手段をとる米国特許第5050865号および米国特許第5035418号は、適用には不向きである。したがって、Chang自身はこの不安定性のシステムにスプリングを加えることで問題を克服したと述べ、同様の考えは後にPetersonによって用いられている。実際には、両著者は油圧シリンダーを除去しておらず、システムを安定させることを志向してスプリングを加えただけであって配慮に欠けており、ユーザの心地よさに寄与するものではない。
【００１２】
Ziadは「不安定性」の問題を考慮した可能性があり、シリンダーがガスになる可能性を予測しつつ、ポンプ又は電気モーターを介する補助コントロールを提示した。噛み合わせの横のシステムとともに、可動ハンドルバーを介してカーブのシミュレーションもアレンジした。参照した発明（ＷＯ２００５／０４６８０６）への批判的な分析において、このシステムが作動しないというのは賢明ではなく、該発明が作動において複雑さを呈し、総じて、このシステムを正常に調節することが困難であることは、当業者にとって同意されよう。道路の自転車をシミュレートし得る正常な機能を得るための仮想的な点の上にセットする角運動を許容する回転軸のポジショニングの問題が、他の懸念として挙げられる。
【課題を解決するための手段】
【００１３】
こういった理由から、本発明では、既述のすべての問題を解決し、優れた機能を発揮して上述のエクササイズの実行に好適であるプロダクトを保証する、小輪つき固定式バイクを特徴付けることを目的とする。本発明の焦点は格子の自由度にあり、それはトーションバーによって支持される角運動をあたえ、同時にバランスと自由度を与え、人体の骨および神経に及ぼす全ての衝撃を除去するためにかかる力に対して感度がよく、実施する者にとって心地よさを提供する。
【００１４】
本発明を説明し明らかにするために、本既述を構成しサポートする添付図面を参照する。
【図面の簡単な説明】
【００１５】
【図１】小輪つき固定式自転車の斜視図である。
【図２】トーションバーにより与えられる角運動を示す、図1の正面図である。
【図３】メインエレメントを示す、図1の分解斜視図である。
【図４】フロントベースの等縮尺の分解斜視図である。
【図５】リアントベースの等縮尺の分解斜視図である。
【図６】アセンブリの詳細図を伴う、小輪つき固定式バイクの正面および右側面断面図である。
【発明を実施するための形態】
【００１６】
上記図面の分析から推察されるように、固定式の小輪つき自転車は２つのベース、つまり、フロントベース（３）およびリアベース（４）に支持される特別な方形物（２）を備える自転車（１）からなる。トーションバー（８）により制限される角運動が可能になる。
【００１７】
トーションバー（８）の両端は片側において核（kernel）（６）に取り付けられ、反対側は軸（１０）に取り付けられており、核は弾性ピン（７）を介して方形物（２）の下に固定されていて、軸はフロントベース（３）に固定されている。
【００１８】
フロント（３）およびベア（４）の両方のベースは、ベアリングブッシング（９）を介して方形フレームワーク（２）に組み込まれ、ベアリングブッシング（９）はその位置が弾性リング（１１）によって制限されている。これらのベースは軸（１０）および（１２）のフォーマットならびに車輪（１４）によって変位し、車輪（１４）はフロントベース（３）のためのみに設計され、必要であればバイクをシフトさせられるようになっている。ベース（３）および（４）は、全システムを地面に対して支持するサポーター（１３）に取り付けられていることにも留意される。フロントおよびリアに戻ると、ベースは軸方向について同一の軸に揃えられている。
【００１９】
本システムの機能について、テーブル（２）からジャンプさせようとしてベースが上方に動きそうになり、ベアリングブッシュ（９）がスクリュー（５）を介してフレームワーク（２）に固定されている。
【００２０】
この小輪つき固定式バイクの動作はとてもシンプルであり、以下のように既述できる：
フロアに支持されたフロント（３）およびリアベース（４）により、バイク（１）がベアリングのブッシュ（９）を介して角運動を展開できるようになっている。バイク（１）のバランスポイントを付与するトーションバー（８）によってこれらの運動が制限される。
【００２１】
自転車を漕ぐことによってユーザは片足ずつ順に力を出す。この力によりバイクがベアリングで展開し、この力はトーションバーにより吸収される。バイクと実践者との全体の重心は変動せず、それらの間で相互に分配されるだけである。つまり、シートに座らずに乗る場合にはユーザはヒップを一方に動かすとともに腕でバイクを他方に動かして、心地よさと従来の路上用自転車での自由な感覚を屋内環境で得ながら、アスリートとバイクとの重量変動をつりあわせる。
【図１】
2011522637.tif 000003
【図２】
2011522637.tif 000004
【図３】
2011522637.tif 000005
【図４】
2011522637.tif 000006
【図５】
2011522637.tif 000007
【図６】
2011522637.tif 000008
【国際調査報告】
2011522637.tif 000009
2011522637.tif 000010